(57)【要約】【課題】  耐久性に優れ、土壌への設置が容易かつ、強固に突き刺しでき、更には収納時に嵩張らない植物苗の風雪保護具を提供すること。【解決手段】  少なくとも弾性を有する合成樹脂材料にて上窄まりの截頭錐形に成形され、植物の苗の周囲を囲んで風雪から保護する成形物であって、成形体の上縁には内鍔が形成され、この内鍔の下側には、当該内鍔に接する如く、下部先端を土壌に突き刺し可能な差込み杭を取り外し自在に配設して構成されたことを特徴とする。【選択図】  図１
0003205866.tif 000002
【実用新案登録請求の範囲】
【請求項１】
少なくとも弾性を有する硬質の合成樹脂材料にて上窄まりの截頭錐形に成形され、植物の苗の周囲を囲んで風雪から保護する成形体（１）であって、
成形体（１）の上縁（11）には内鍔（12）が形成され、この内鍔（12）の下側には、当該内鍔（12）に接する如く、下部先端（21）を土壌に突き刺し可能な差込み杭（２）・（２）…を取り外し自在に配設して構成されたことを特徴とする植物苗の風雪保護具。
【請求項２】
成形体（１）自体は、差込み杭（２）・（２）…を全て取り外した状態で積み重ねて保管可能に構成されていることを特徴とする請求項１に記載の植物苗の風雪保護具。
【請求項３】
成形体（１）の上縁開口部に、合成樹脂フィルムにて作成された蓋袋（３）を着脱自在に被せることが可能な請求項１または請求項２に記載の植物苗の風雪保護具。
【考案の詳細な説明】
【技術分野】
【０００１】
本考案は、果物や野菜、樹木等の畠で栽培される植物苗を風雪から保護する用具に関するものである。
【背景技術】
【０００２】
近年、自宅や市民農園で果物や野菜などを露地にて栽培する家庭菜園が流行しており、中でもトマト、ナス、キュウリといった果菜類は育て易いことから人気がある。
【０００３】
しかし、苗の定植時期によっては、天候や温湿度の変化、各種害虫の飛来によって苗の生育が阻害されることが多いために様々な対策を講じる必要がある。
【０００４】
そこで、従来から、畝に樹脂シート、または、藁、腐葉土等を敷いて行うマルチング栽培や、アーチ状の骨組を並べた上に樹脂シートを被せるトンネル栽培、苗の周囲に数本の支柱を立て、この支柱に樹脂シートや網を被せるアンドン等を使用する等の対策が講じられる。
【０００５】
ところが、上記の各々の対策においては、畝に樹脂シート等を敷く作業や、骨組を並べてビニールを張る作業、苗一つ一つに支柱を立て、樹脂シート等を被せていく作業は身体的、時間的な負担が大きいといった問題がある。
【０００６】
これらの問題を解決するため、筒状に丸めた樹脂シートを土壌に突き刺して防風具にっすると共に、天候や温湿度状況に応じて上部開口にカバーを被せることで環境変化にも対処可能にするといった技術が知られている（特許文献１参照）。
【０００７】
ところが、この技術は、樹脂シート下端を波状に形成し、当該波状部分を土壌に突き刺すため、差し込みが浅くなり、強風で飛ばされる恐れがあった。
【先行技術文献】
【特許文献】
【０００８】
【特許文献１】特開２０１０−４７４４号公報
【考案の開示】
【考案が解決しようとする課題】
【０００９】
本考案は、従来の植物苗の風雪保護具に上記のような問題があったことに鑑みて為されたものであり、その目的とするところは、耐久性に優れ、土壌への設置が簡易、かつ、強固に突き刺しができ、更には、しまう時に嵩張らない植物苗の風雪保護具を提供することにある。
【課題を解決するための手段】
【００１０】
本考案者が上記課題を解決するために採用した手段を添付図面を参照して説明すれば、次のとおりである。
【００１１】
即ち、少なくとも弾性を有する硬質の合成樹脂材料にて上窄まりの截頭錐形に成形され、植物の苗の周囲を囲んで風雪から保護する成形体１であって、
成形体１の上縁11には内鍔12が形成され、この内鍔12の下側には、当該内鍔12に接する如く、下部先端21を土壌に突き刺し可能な差込み杭２・２…を取り外し自在に配設して構成されたことを特徴とする。
【００１２】
また、本考案は、成形体１自体は、差込み杭２・２…を全て取り外した状態で積み重ねて保管可能に構成するという技術的手段が採用される。
【００１３】
また、本考案は、成形体１の上縁開口部に、合成樹脂フィルムにて作成された蓋袋３を着脱自在に被せるという技術的手段を採用する。
【考案の効果】
【００１４】
本考案において、成形体１を弾性を有する硬質の樹脂材料にて上窄まりの截頭錐形にすることにより、成形体１にはテーパーが付与され、風雪により掛かる圧力を分散させ易く、耐久性も向上させることができる。
【００１５】
更には、成形体１の上縁11に内鍔12が形成され、前記内鍔12の下側に差込み杭２・２…が接する如く配設されることにより、土壌への突き刺しを容易、かつ、確実に行うことが可能となる。
【００１６】
また、成形体１から差込み杭２・２…を取り外し自在に構成することによって、風雪などの被害がない時期には成形体１を重ねて保管することができ、収納スペースを減らすことが可能となる。
【００１７】
また、合成樹脂フィルムにて作成した蓋袋３を成形体１の上縁開口に着脱自在に被せることにより、外気や土壌温度の状況に応じて適切な対策を講じることが可能となる。
【図面の簡単な説明】
【００１８】
【図１】本実施例１の植物苗の風雪保護具を表した斜視図である。
【図２】本実施例１における植物苗の風雪保護具の差込み杭の固定状態を表した斜視図である。
【図３】本実施例１の植物苗の風雪保護具に蓋袋を被せた状態の斜視図である。
【図４】本実施例１の植物苗の風雪保護具の使用状態を表した断面図である。
【図５】本実施例２の植物苗の風雪保護具を表した斜視図である。
【図６】本実施例２の植物苗の風雪保護具の使用状態を表した断面図である。
【考案を実施するための形態】
【００１９】
本考案を実施するための形態を、具体的に図示した図面に基づいて、更に詳細に説明すると、次のとおりである。
【００２０】
『実施例１』
本考案の実施例を図１に基づいて説明する。図中、符号１で指示するものは、截頭錐形に成形された成形体であって、弾性を有する硬質の合成樹脂材料により円錐形に成形され、上縁11には内鍔12を形成し、下部の内周縁には滑止14を適宜に突設する。また、成形体１の内部には固定具13を配設してある（図１参照）。この固定具13は、所定の位置に複数の嵌め節13a・13a…を形成してなり、成形体１の内周部に弾力的に嵌着する。本実施例において、成形体１、及び固定具13はポリプロピレンを成形したものを使用した。
【００２１】
また、符号２で指示するものは、差込み杭であり、金属管を樹脂材で被覆したものを下部先端21が成形体１の裾から３０ｃｍ程度突き出るように前記成形体１に配設し、固定具13の嵌め節13a・13a…に嵌着してある（図２参照）。なお、当該差込み杭２・２…の下部先端21は、土壌への突き刺しを容易にするため先端を尖らせたものを使用する。
【００２２】
また、符号３で指示するものは、蓋袋であり、透明ビニール製フィルムの袋体の裾部にゴム輪を付設してある（図３参照）。
【００２３】
しかして、本実施例における植物苗の風雪保護具は、成形体１の内鍔12に差込み杭２・２…が接する如く取り付けて構成され、使用時には成形体１の上縁11部分を押圧することにより、容易、かつ、確実に設置することができる。更には、天候、温湿度等の状況に応じて、蓋袋３を被せることにより、植物苗の保護が確実となる（図４参照）。
【００２４】
『実施例２』
図５、図６には、実施例２のプランター用の風雪保護具が図示される。
【００２５】
本実施例において成形体１は、プランターＰの大きさと比べて一回り小型の截頭長方錐形に成形され、前記実施例１と同様に固定具13を介し、差込み杭２・２…を取付けて構成される（図５参照）。また、当該差込み杭２・２…は、下部先端21がプランターＰの底に接する程度のサイズになるように形成する。
【００２６】
実施例２の風雪保護具は、ベランダや庭先等、畠以外の場所で果樹の栽培を行う際に使用するプランターＰへの設置を可能とすることにより、風による苗の育成阻害、害虫の飛来、急激な温度変化などから植物苗を保護することに適している（図６参照）。
【００２７】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００２８】
本実施例では、成形体１はポリプロピレンを使用するとしたが、弾性を有する硬質の合成樹脂材料であれば、色の有無は関係なく、何れの合成樹脂材料でも使用することが可能である。
【００２９】
また、本実施例では、固定具13を複数の嵌め節13a・13a…を形成した樹脂製のものを使用するとしたが、差込み杭２・２…を固定可能であれば、粘着テープ等を使用することも可能である。
【００３０】
また、本実施例では、差込み杭２・２…は金属管の外側を樹脂材で被覆したものを使用するとしたが、土壌に突き刺すことが可能であれば、何れの材料からなる杭を使用してもよい。
【００３１】
また、本実施例では、蓋袋３を透明ビニール製フィルムとしたが、成形体１の上縁開口部に着脱自在に被せることができれば、色の有無を問わず、何れの材料を使用してもよい。
【符号の説明】
【００３２】
１  成形体
11  上縁
12  内鍔
13  固定具
13a  嵌め節
14  滑止
２  差込み杭
21  下部先端
３  蓋袋
Ｐ  プランター
【図１】
0003205866.tif 000003
【図２】
0003205866.tif 000004
【図３】
0003205866.tif 000005
【図４】
0003205866.tif 000006
【図５】
0003205866.tif 000007
【図６】
0003205866.tif 000008